【手続補正書】
【提出日】平成19年11月29日(2007.11.29)
【手続補正１】
【補正対象書類名】明細書
【補正対象項目名】特許請求の範囲
【補正方法】変更
【補正の内容】
【特許請求の範囲】
【請求項１】
ジッパークロージャ構造体およびスライダ装置を含む再封パッケージを製造する方法であって：
（ａ）第１の係合異形材と第２の係合異形材を有するクロージャ構造体を提供すること；
（ｂ）上に印を有する高分子フィルムへ、前記クロージャ構造体を取付けること；
（ｃ）第１のフォトアイで前記印の位置合わせをすること；
（ｄ）前記クロージャ構造体上へスライダ装置を装着すること；前記スライダ装置は、前記クロージャ構造体上に装着されるように、および前記スライダ装置が第１方向に動かされるときに、前記第１クロージャ異形材を前記第２クロージャ異形材と結合させるように、そして、前記スライダ装置が反対の第２方向に動かされるときに、前記第１クロージャ異形材を前記第２クロージャ異形材から係合を外すように、構築されて編成され、前記装着することは、前記印に関係して成され；
（ｅ）第２のフォトアイにより前記印を位置合わせをすること；および、
（ｆ）前記クロージャ構造体および前記高分子フィルムをシールして、パッケージを提供することを含む方法。
【請求項２】
前記クロージャ構造体を前記高分子フィルムへ取付けるステップが：
（ａ）前記クロージャ構造体の前記第１クロージャ異形材を、前記高分子フィルムの第１の縁へシールすること、そして前記第２クロージャ異形材を、前記高分子フィルムの第２の縁へシールすること；を含む請求項１の方法。
【請求項３】
前記スライダ装置を前記クロージャ構造体上へ装着するステップが：
（ａ）前記クロージャ構造体内に切欠きをパンチ加工すること；および、
（ｂ）前記スライダ装置を前記クロージャ構造体上へ位置決めすること；を含む請求項２の方法。
【請求項４】
前記スライダ装置を前記クロージャ構造体上へ位置決めするステップが、前記クロージャ構造体内に切欠きをパンチ加工するステップの後になされる請求項３の方法。
【請求項５】
前記第１のフォトアイにより前記印を位置合わせするステップが、前記クロージャ構造体上へ前記スライダ装置を装着するステップの前になされる請求項１の方法。
【請求項６】
前記第２のフォトアイで前記印を位置合わせするステップが、前記クロージャ構造体上へ前記スライダ装置を装着するステップの後になされる請求項５の方法。
【請求項７】
前記クロージャ構造体と前記高分子フィルムをシールしてパッケージを提供するステップが：
（ａ）ドエルタイムの間に、熱、圧力、および超音波の組合せによって前記クロージャ構造体をシールすること；を含む請求項１の方法。
【請求項８】
ドエルタイムの間に、熱、圧力、および超音波の組合せによって前記クロージャ構造体をシールするステップが、ドエルタイムの間に、熱と圧力を含む第１ステーションと、超音波を含む第２ステーションとによって、前記クロージャ構造体をシールすることを含む請求項７の方法。
【請求項９】
ドエルタイムの間に、熱と圧力を含む第１ステーションによって前記クロージャ構造体をシールするステップが：
（ａ）前記クロージャ構造体のシールフランジを一緒にスポット溶着すること；および、
（ｂ）前記第１と第２の係合異形材を一緒にシールすること；を含む請求項８に従う方法。
【請求項１０】
前記クロージャ構造体の前記シールフランジを一緒にスポット溶着するステップが、前記第１と第２の係合異形材を一緒にシールするステップの前になされる請求項９の方法。
【請求項１１】
（ａ）前記クロージャ構造体のシールフランジを一緒にスポット溶着するステップが、第１シールバーによってなされ；そして、
（ｂ）前記第１と第２の係合異形材を一緒にシールするステップが、第２封止バーによってなされる請求項９の方法。
【請求項１２】
さらに、上に印を有する前記高分子フィルムへ前記クロージャ構造体を取付けるステップの後に、前記第１の係合異形材と第２の係合異形材とを係合させるステップを含む、請求項１の方法。
【請求項１３】
ジッパークロージャ構造体およびスライダ装置を含む再封パッケージを製造する方法であって：
（ａ）第１の係合異形材および第２の係合異形材を持つクロージャ構造体を提供する；
（ｂ）前記クロージャ構造体を高分子フィルムへ取付けること； 
（ｃ）前記クロージャ構造体上へスライダ装置を装着すること；前記スライダ装置は、前記クロージャ構造体上に装着されるように、および前記スライダ装置が第１方向に動かされるときに、前記第１クロージャ異形材を前記第２クロージャ異形材と結合させるように、そして、前記スライダ装置が反対の第２方向に動かされるときに、前記第１クロージャ異形材を前記第２クロージャ異形材から係合を外すように、構築されて編成され；
（ｄ）前記クロージャ構造体をシールして、前記パッケージへ側縁を提供すること；を含み、
前記シールは：
（i）第１ドエルタイムの間に、第１の熱、圧力、またはその組合せを、前記クロージャ構造体の少なくとも一部へ提供することにより、第１シール領域を形成すること；
（ii）第２ドエルタイムの間に、第２の熱、圧力、超音波、またはその組合せを、前記クロージャ構造体の少なくとも一部
へ提供することにより、第２シール領域を形成すること；
および、
（ii）第３ドエルタイムの間に、第３の熱、圧力、またはその組合せを提供して、前記パッケージへ側縁を形成すること；ことを含む方法。
【請求項１４】
第１ドエルタイムの間に、第１の熱、圧力、またはその組合せを、前記クロージャ構造体の少なくとも一部へ提供することにより第１シール領域を形成するステップが：
（ａ）第１ドエルタイムの間に、熱と圧力を、前記クロージャ構造体の一部へ提供することにより、前記第１の係合異形材を前記第２の係合異形材へシールすることを含む請求項１３の方法。
【請求項１５】
第１ドエルタイムの間に、熱と圧力を、前記クロージャ構造体の一部へ提供することにより、前記第１の係合異形材を前記第２の係合異形材へシールするステップが：
（ａ）前記第１と第２の係合異形材の第１と第２シールフランジを一緒にシールすることを含む請求項１４の方法。
【請求項１６】
第１ドエルタイムの間に、第１の熱、圧力、またはその組合せを、前記クロージャ構造体の少なくとも一部へ提供することにより、前記第１シール領域を形成するステップが：
（ａ）第１予熱工程を提供すること；および、
（ｂ）第２予熱工程を提供すること；含む請求項１３の方法。
【請求項１７】
第２ドエルタイムの間に、第２の熱、圧力、超音波、またはその組合せを、前記クロージャ構造体の少なくとも一部へ提供することにより、第２シール領域を形成するステップが：
（ａ）第２ドエルタイムの間に、熱、圧力および超音波の全てを、クロージャ構造体をシールするために提供することを含む請求項１３の方法。
【請求項１８】
請求項１の方法によって製造される再閉可能パッケージ。
【請求項１９】
請求項１３の方法によって製造される再閉可能パッケージ。
【手続補正２】
【補正対象書類名】明細書
【補正対象項目名】０００７
【補正方法】変更
【補正の内容】
【０００７】
本開示の別の実施の形態において、ジッパークロージャとスライダ装置とを有する再閉可能パッケージを製造する方法は、第１係合異形材と第２係合異形材を有するジッパークロージャ構造体を提供すること、そしてそのジッパークロージャ構造体を高分子フィルムへ取付けることを含む。スライダ装置はジッパークロージャ上に装着される。このスライダ装置は、ジッパークロージャ上へ装着されるように、およびスライダ装置が第１方向に動かされるときに、第１クロージャ異形材を第２クロージャ異形材と結合させるように、そして、スライダ装置が反対の第２方向に動かされるときに、第１クロージャ異形材を第２クロージャ異形材から係合を外すように、構築され編成される。ジッパークロージャとフィルムは、パッケージへ側縁を与えるために、いくつかのステップによって互いにシールされるか、シームされる。熱、圧力、超音波、あるいはそれらの組み合わせが、クロージャ構造体の少なくとも一部に、第１シール領域を形成するために、ドエルタイムの間に適用され；熱、圧力、超音波、あるいはそれらの組み合わせが、クロージャ構造体の少なくとも一部に、第２シール領域を形成するためにドエルタイムの間に適用され；そして、熱、圧力、あるいはそれらの組み合わせが、パッケージの側面の縁を形成するために適用される。この複数のステップシール工程は、ステップの少なくとも最初のステップを予熱ステップと称することができ、側面シールとシームを提供することを容易にする。
【手続補正３】
【補正対象書類名】明細書
【補正対象項目名】００１０
【補正方法】変更
【補正の内容】
【００１０】
柔軟性のある再閉可能パッケージは、図１と２に示される。パッケージ１０は、品物を収容するための内部１１を画成する高分子製側面パネル１２および１４を有する。側面パネル１２、１４は、多層高分子フィルムでも、単層フィルムでもよく、さもなければ高分子層と非高分子層（紙のような）の組合せである結合フィルムであってもよい。製造用途によっては、第１と第２のパネル部１２、１４は、２つの側縁１３、１５で互いに熱シールされてパッケージ１０内に、製品用の３つの縁のついた収容部を形成するために、折り目で出会う。折り目は底面の縁１７を構成する。側縁１３，１５はシールでも、シームでもよい。一般に、「シール」は溶接したシールであり、第１と第２のパネル部１２、１４が、連続した不浸透の縁を形成するために、典型的には、熱シールで連続的に互いに結合されるか、互いに溶着され、「シーム」は、第１と第２のパネル部１２、１４が、必ずしも連続的または不浸透であるとは限らないが、互いに結合される。実施の形態によっては、シームはシールであってもよく、そしてシールは典型的にはシームである。本開示を通じて、側面のシールと側面のシームを使用する場合は、側面縁１３、１５のどちらを指定してもよいことが理解されよう。
【手続補正４】
【補正対象書類名】明細書
【補正対象項目名】００１３
【補正方法】変更
【補正の内容】
【００１３】
図２に、ジッパークロージャ２０が、第１の係合異形材２２および第２の係合異形材２４のように係合するクロージャ異形材を用いて図解され、両異形材は係合と脱係合を行なってパッケージ１０を開閉し、内部１１へのアクセスを、口２１を介して可能にする。ジッパークロージャ２０は、図１に示すように、パッケージ１０の第１縁１６から、口２１を横切って第２縁１８まで延在する。第１と第２の係合異形材２２、２４は、係合異形材２２、２４から延在するシールフランジ３６、３８によって、パネル部１２、１４へそれぞれ取付けられ、これは図２に描かれている。
【手続補正５】
【補正対象書類名】明細書
【補正対象項目名】００１８
【補正方法】変更
【補正の内容】
【００１８】
ここで図５と図６の、フィルムと異形材製造領域１００に注目する。フィルムと異形材製造領域１００は、図１と２に示すパッケージ１０のパネル部１２、１４、そしてジッパークロージャ２０の第１と第２の係合異形材２２、２４を形成する高分子フィルムを供給する。高分子フィルム１１０は、好ましくは、その幅が、得られたパッケージの高さ、つまり「パッケージ高さ」分の約２倍で、図５と図６のロールで供給される。これは図１と２において、パッケージ１０の底部１７からジッパークロージャ２０までの距離を意図するものである。単体のフィルムロールが供給され、次いでレーン「ａ」と「ｂ」の各々にフィルムを供給するために一直線に裁断される。一連のテンショナ、浮きアイドルロール、ダンサ、あるいは他の機構を使用して、フィルム１１０が巻き解かれる場所から、ジッパークロージャが取付けられる場所まで、フィルム１１０にかかる張力の調整を支援できる。浮きアイドルロール等の、ウェブガイドを使用して、フィルムが巻き解かれる時、またはジッパークロージャ２０と結合する前に、フィルム１１０の横方向位置を監視し、および／または調整することができる。
【手続補正６】
【補正対象書類名】明細書
【補正対象項目名】００２６
【補正方法】変更
【補正の内容】
【００２６】
図６を参照すると、一般にＶ板１５０は、上縁１６１と、先端１６５で交わる角度の付いた２つの縁１６２，１６４を持つ三角面１６０とによって画成される２次元板である。一般に、この板は「Ｖ」形をしている。平坦シートであるフィルム１１０は、Ｖ板１５０の角度付き縁１６２，１６４に対してフィルムを通過させることによって、フィルムウェッブ２１０を形成するために、半分に折曲げられる。（図１および２のパッケージ１０の）底縁１７は、先端１６５のところに形成される。実施の形態によっては、先端１６５は、得られるパッケージの底部にガセットを設けるために配置される。これらの実施の形態では、角度付きの２つの縁１６２，１６４は一点で交わらない。その先端は凹領域を持っているので、先端が「Ｍ」形状である。凹領域の広さは、製造されるパッケージの形式と、必要なガセットの深さに依存して変わる。ガセットを形成するために取付けられるＶ板は、よく知られている。
【手続補正７】
【補正対象書類名】明細書
【補正対象項目名】００２７
【補正方法】変更
【補正の内容】
【００２７】
図６のローラ１５５（図５のローラ１５５ａ、１５５ｂ）が内蔵されて、フィルム１１０のＶ板１５０（図５のＶ板１５０ａ、１５０ｂ）に対する送りを容易にすることができる。上に係合異形材を伴うフィルム１１０の外側縁１１２、１１４は、一緒に持寄られ、フィルム１１０の中心折り目が、得られたパッケージ１０の底部１７（図１および２）を形成する。Ｖ板１５０によって折られた後、不図示の他のローラを用いてフィルムウェッブ２１０を平らにして滑らかにできる。ローラは、適切な第１と第２の係合異形材２２、２４を強固にすることができる。
【手続補正８】
【補正対象書類名】明細書
【補正対象項目名】００３０
【補正方法】変更
【補正の内容】
【００３０】
ここで、図５の工程２００を参照すると、Ｖ板１５０ａにより折られたときのレーン「ａ」のフィルムウェッブ２１０ａ、そしてＶ板１５０ｂによって折られたときのレーン「ｂ」のフィルムウェッブ２１０ｂは、フィルム制御領域２００を通って前進する。前の領域であるフィルムおよび異形材製造領域１００において、フィルム１１０は連続レートで前進する。その後のサブ工程３００から７００では、フィルムウェッブの動きは増大する。フィルム制御領域２００は、連続的動きと増分的動きの間の移行を実現する、そして、図５および７に示すように、フィルム追従装置２３０、ダンサ部２４０、第１ニップロール２５１、および第２ニップロール２５２を含む。
【手続補正９】
【補正対象書類名】明細書
【補正対象項目名】００３１
【補正方法】変更
【補正の内容】
【００３１】
図７において、フィルム追従装置２３０は、フィルムウェッブ２１０の横方向位置を検知し、図５において、フィルム追従装置２３０は、フィルムウェッブ２１０ａ、２１０ｂの横方向位置を検知する。加えて、フィルム追従装置２３０は、フィルム２１０の幾つかの張力制御装置を備える。ニップロール２５１は、フィルム追従装置２３０を通じてフィルム２１０を引っ張る。実施の形態によっては、ニップロール２５１は、フィルムと異形材製造領域１００を通じて、フィルムの動きを提供する装置である。
【手続補正１０】
【補正対象書類名】明細書
【補正対象項目名】００３９
【補正方法】変更
【補正の内容】
【００３９】
図８に示すように、補償ロール３４０は、複数のローラ、特にローラ３４２，３４３，３４４を含む。好ましくは、ローラ３４２，３４３，３４４は、フィルムウェッブ２１０が、最小の間隔、特にローラの約２０から４５度、さらに好ましくはローラの約３０度でローラ３４２および３４４と接触するように位置決めされる。接触長さは最小化されるので、ローラ３４２，３４３，３４４によって引き起されるスライダ装置５０にかかる圧力に起因して、スライダ装置５０がジッパークロージャ２０に対してずれて装着されたり、そこから外れたりする可能性も極小化される。ローラ３４２，３４３，３４４が互いに接近して配置されると、フィルムウェッブ２１０は、ローラ３４２，３４４との間で、より大きな接触を持ち、それによって、スライダ装置５０がずれて配置されたり、外れたりする機会が高くなる。スライダ装置装着区域５００（図８）内で装着されるスライダ装置５０は、ローラ３４２，３４４と接触する時間があまり長すぎると、切欠き２５から追出されるかもしれない。補償ローラ３４０は、好ましくは、その表面に溝を含む。ジッパークロージャおよびスライダ装置５０がローラ面を越えて通過するときに、それらを受取るために取付けられる。図１１において、ローラ３４４は、そこに溝３４８を持っていることが示されている。
【手続補正１１】
【補正対象書類名】明細書
【補正対象項目名】００４３
【補正方法】変更
【補正の内容】
【００４３】
図５のスライダ装置装着区域、および図１０を参照すると、スライダ装置５０（図１、２、３Ａ、３Ｂ）は、スライダ装置装着区域５００内で、フィルムウェッブ２１０に付けられる。図１０では、ジッパークロージャ２０を持つフィルムウェッブ２１０の側面が、ウエッブの底部に位置決めされるように、すなわちフィルムウェッブ２１０が、図１０内で左から右に移動するように、フィルムウェッブ２１０が位置決めされる。規則的に離間した印２１２（想像線で示す）を含む、フィルムウェッブ２１０は、第１補償部３００（図５および８）によって制御される。再度、図１０を参照すると、切欠き２５は、型、ナイフ、スタンプ、または他の同様な方法等のライン内のパンチ５２５によって、ジッパークロージャ２０を打抜くか、切断する。先に検討したように、切欠き２５は狭いスリットであってもよい。ひとつの実施の形態では、パンチ５２５は油圧パンチである。別の実施の形態では、パンチ５２５は空圧パンチである。パンチ５２５によって除去された高分子材料の細片（ここでは「スラッグ」と呼ぶ）は、パンチ５２５の区域からエアブラストまたは真空によって除去してもよい。
【手続補正１２】
【補正対象書類名】明細書
【補正対象項目名】００４４
【補正方法】変更
【補正の内容】
【００４４】
スライダ装置５０は、スライダアプリケータ５５０によってジッパークロージャ２０へ装着される。スライダ装置５０は、スライダアプリケータ５５０へのスライダ装置の連続供給を提供することが可能な、ボウルフィーダ、振動式フィーダ、スプールに巻いたスライダ装置他によって、スライダアプリケータ５５０へ送られる。重力、空気流、および他の方法を使って、スライダ装置の搬送を容易にする。ひとつの実施の形態では、スライダ装置５０を、ジッパークロージャ２０および切欠き２５へ装着するための適切な位置へ揃えるために、多チャンネルのボウルフィーダが使用される。スライダアプリケータ５５０は、ジッパークロージャ２０上にスライダ装置５０を装着するための何れの装置や方法でもよい。ジッパークロージャ上にスライダ装置を付けるための種々の方法は、例えば、引用して本明細書に組み込まれた米国特許出願第０９／３６３，６２６号（１９９９年６月２９日出願）のような例が知られている。ジッパークロージャ上のスライダ装置の連続的な付加の好ましい方法は、回転ラックや他の回転装着器のような、回転する装着器を使用するべきである。スライダ装置を装着する好ましい回転ラックに関する更なる情報は、本発明の譲受人へ譲渡された米国特許第出願第０９／３５１，８３０号（１９９９年６月１２日出願）に開示されており、引用して本明細書に組み込まれる。フィルムウェッブ２１０は、スライダ装置５０の装着の間、ガイド、アーム等によって保持される。実施の形態によっては、スライダ装置５０は、パンチ５２３によって形成される切欠き２５を備える前に、ジッパークロージャ２０へ装着される。
【手続補正１３】
【補正対象書類名】明細書
【補正対象項目名】００４５
【補正方法】変更
【補正の内容】
【００４５】
パンチ５２５による切欠き２５のパンチ加工、および装着器５５０によるスライダ装置５０の装着は、フィルムウェッブ２１０が、第１の縁１６から第２の縁１８（図１）までのパッケージ幅にほぼ等しい距離インデックス送りされたときに行われる。フィルムウェッブ２１０の増分的な動きは、パッケージ上の印刷または印付けとともに、切欠き２５の適切なアライメントにとって極めて重要である。上記の、第１補償部３００の第１のフォトアイ３１０、および第２補償部４００の第２のフォトアイ４１０は、フィルムウェッブ２１０の動きと位置を監視する。第１のフォトアイ３１０は、図８と１０に示されており、図５ではフォトアイ３１０ａ、３１０ｂとして示されている。第２のフォトアイ４１０は、図９と１１に示されており、図５では、フォトアイ４１０ａ、４１０ｂとして示されている。
【手続補正１４】
【補正対象書類名】明細書
【補正対象項目名】００４７
【補正方法】変更
【補正の内容】
【００４７】
第１と第２予シールバー６１０、６２０、および超音波シーラ６３０はともに、ドエルタイムとして知られる時間の間、熱と圧力を提供することによって、ジッパークロージャ２０を横切るシールを生み出す。ジッパークロージャ２０は、フィルムウェッブ２１０の残りよりも厚く、しかも、より多量の高分子を含むので、予シールバー６１０、６２０、および超音波シーラ６３０はともに、ジッパークロージャにおいてシールを形成するために使用される。いずれの予シールバー６１０、６２０も、そして超音波シーラ６３０も、上側、底側、または両側から加熱される。２本の予シールバー６１０、６２０が図示されているが、それより多くても、少なくてもよい。予シールバーは、ゴムや金属であってもよく、上に表面被覆（例えばテフロンテープ）を有してもよく、または他の任意の材料であってもよい。同様に、一台の超音波シーラ６３０が図示されているが、もっと多く使用されてもよい。フィルムウェッブ２１０の速度、および、各予シールバーと超音波シーラの温度、圧力およびドエルタイムは、多くの優先的なシール項目に影響を及ぼす。
【手続補正１５】
【補正対象書類名】明細書
【補正対象項目名】００５１
【補正方法】変更
【補正の内容】
【００５１】
予シールバー６１０、６２０からウエッブの下方に位置した超音波シーラ６３０は、コネチカット州DanburyのBranson Ultrasonics Corp. から購入可能な「９００シリーズ」のモデル「９４１」等、従来の超音波ユニットでもよい。従来の超音波ユニットは一般に、被シール材料の上方に配置された振動ホーンと、被シール材料の下方に配置された静止アンビルとを含む。ホーンは、ある周波数、例えば約４０，０００ヘルツで振動する。普通には、ホーンとアンビルは金属である。ホーンは高温まで加熱されるが、実施の形態によっては、ホーンの振動が、ホーンと接触した材料との間の摩擦熱によって、単独で十分な熱を生み出す。ホーン、アンビルの一方、または両者方にローレット加工を施してもよい。すなわち、ホーンまたはアンビル、またはその両方に表面模様が施される。再度、図４を参照すると、パッケージ１０’の第１と第２上側シール領域６０、６２は、クロスハッチ模様で描かれたように、ローレット表面によって製造される。
【手続補正１６】
【補正対象書類名】明細書
【補正対象項目名】００５３
【補正方法】変更
【補正の内容】
【００５３】
第１予シールバー６１０、第２予シールバー６２０、および超音波シーラ６３０の働きは、どのような順序でなされてもよい。つまり、ここに記載の順序のステップに従う必要はない。例えば、実施の形態によっては、ジッパークロージャ２０全体のシールを行なうのに先立って、上部フランジ３２、３４をシールすることが望まれることがある。
【手続補正１７】
【補正対象書類名】明細書
【補正対象項目名】００５５
【補正方法】変更
【補正の内容】
【００５５】
第１と第２上側シール領域６０、６２が、クロージャシール区域６００内で一旦なされると、第３のニップロール４５３（これは第２補償部４００の一部である）は、フィルムウェッブ２１０をクロージャシール区域６００から引き出して、それを、加熱されたナイフ、ブレード、ダイ等でシールして、個別のパッケージ（図５にパッケージ１０ａおよび１０ｂとして示される）に分離する切断区域７００へ向けて押出す。好ましくは、個々のパッケージが切断されるときに、側面の縁１３、１５（図１のパッケージ１０の、および図４のパッケージ１０’の側面の縁１３’、１５’）が形成される。個々のパッケージは集められて、販売用に梱包される。
【手続補正１８】
【補正対象書類名】明細書
【補正対象項目名】００５６
【補正方法】変更
【補正の内容】
【００５６】
実施の形態によっては、延びた鎖状パッケージが得られるように、パッケージを側面の縁１３，１５で互いにつながったままにしておくことが望まれることもある。これは、加熱されたナイフではなくて、加熱されたバーを使用して側面の縁１３，１５を与えることによってなされる。鎖状の袋は、自動工程によってパッケージが品物で充填されなければならないときに望ましい。典型的には、ジッパークロージャ２０は、例えば、スライダ装置５０を動かすアームと、パネル部１２、１４を引く真空ソースまたは機械的ソースによって開かれて、パッケージが充填される。次いで、充填済パッケージは分離される。他の実施の形態では、内部１１（図１および２）へアクセスできるように、パッケージの底部（すなわち、図１および２のパッケージ１０の底部縁１７）が開けるようにすることを望まれることもある。この場合、充填は、開かれた底部を介して達成される。底部は、パッケージが個別パッケージであっても、または鎖状パッケージであっても、開いたままにしておける。
【手続補正１９】
【補正対象書類名】明細書
【補正対象項目名】００５７
【補正方法】変更
【補正の内容】
【００５７】
ジッパークロージャがフィルムパネル部へ取付けられた後、ジッパークロージャにスライダ装置を装着するように、工程を説明してきたが、実施の形態によっては、ジッパークロージャ２０をフィルム１１０へ接着するのに先立って、スライダ装置５０をジッパークロージャ２０上に装着することが望ましいことがある。スライダ装置をジッパークロージャの上に装着する一実施例が、引用して本明細書中に組み込まれた米国特許第出願第６０／１６４，５３１号（１９９９年１１月１０日出願）に記載されている。ジッパークロージャは、その後にフィルム１１０へ接着され、（図４でのパッケージ１０’の）上側シール領域６０、６２を含むシーム、および側面の縁１３’、１５’が、本明細書に記載のように作られる。